(57)【特許請求の範囲】
【請求項１】
複数の弦を有し、該弦の一端が本体フレームに固定されると共に、該弦の他端が、前記本体フレームに摩擦嵌合している弦巻付け部材に巻き付けられ、前記弦巻付け部材に係合して調弦し得る調律器具を有する、弦楽器において、
前記弦巻付け部材は、断面円形からなると共に長手方向にテーパを有するピンからなり、かつその一端に、長手方向の所定深さの溝が形成されてなり、
前記調律器具は、把手と、該把手と一体に設けられるシャフトと、を有し、前記シャフトの先端部が、パイプ状からなると共に、該パイプ状部の先端から所定距離に配置され、該パイプ状部を直径方向に貫通して固定された細ピンを有し、
前記調律器具が、前記パイプ状部を前記ピンに嵌挿すると共に、前記細ピンを前記溝に係合して、前記弦巻付け部材を回動してなる、
ことを特徴とする弦楽器。
【請求項２】
前記弦巻付け部材は、前記本体フレームに形成されたテーパ付き貫通孔に貫通され、かつ該貫通された小径側にて前記弦が巻付けられると共に、該小径側の先端に前記溝が形成されてなる、
請求項１記載の弦楽器。
【請求項３】
前記弦巻付け部材に形成される溝が、中心にて直交する十字状の溝である、
請求項１又は２記載の弦楽器。
【請求項４】
前記弦巻付け部材は、前記本体フレームに摩擦嵌合する部分に粗面が形成されてなる、
請求項１ないし３のいずれか記載の弦楽器。
【請求項５】
前記弦楽器が、ノンペダルハープである、
請求項１ないし４のいずれか記載の弦楽器。
【発明の詳細な説明】
【０００１】
【発明の属する技術分野】
本発明は、ハープ、ピアノ等の弦楽器に係り、特に調弦装置及びそれに用いる調律器具に係り、特にノンペダルハープに用いて好適なチューニングピン及びチューニングレンチ等の調律器具に関する。
【０００２】
【従来の技術】
一般に、ハープ、ピアノ等の弦楽器は、多数の弦が一端を固定されると共に他端をチューニングピンに巻付けられて張られているが、使用による弦の伸び等により音程が狂うことがあり、その都度又は所定期間毎にチューニングピンを回動することにより弦の張り具合を調整する調律作業が必要である。
【０００３】
従来、チューニングピンは、断面円形からなり、本体フレーム（プレート）に形成された貫通孔に打込まれて用いられ、該貫通孔との摩擦により盲動することなく弦張力を保持すると共に、その軸方向一端部（弦を巻付ける表側又は裏側）に、断面略４角形の角部を有しており、該角部に、角孔を有するチューニングレンチ等の調律器具を嵌合して、該調律器具に所定トルクを与えてチューニングピンの回動位置を調整するように、調律が行われていた。
【０００４】
【発明が解決しようとする課題】
上記チューニングピン（弦巻付け部材）及び調律器具では、かなり強い力で弦を張る必要がある調律作業を度々行うと、元々アールが形成されている前記チューニングピンの角部及び調律器具の角孔は、比較的早期に該角部分が摩耗、変形して更に丸くなり、角部と角孔との嵌合面に回転方向の滑りを生じて、調律作業ができなくなることがある。
【０００５】
また、上記角部を有するチューニングピン（弦巻付け部材）及び角孔を有する調律器具は、角部及び角孔の形成に面倒な加工を必要とし、高価になっている。
【０００６】
そこで、本発明は、簡単な構成でもって、高い耐久性を有すると共に、効率よくかつ容易に調律を行うことができる、弦楽器、特にその調弦装置及びそれに用いられる調律器具を提供することを目的とするものである。
【０００７】
【課題を解決するための手段】
請求項１に係る本発明は、複数の弦（９…）を有し、該弦の一端が本体フレーム（２）に固定されると共に、該弦の他端が、前記本体フレーム（６）に摩擦嵌合している弦巻付け部材（１０，１０’）に巻き付けられ、前記弦巻付け部材に係合して調弦し得る調律器具（１５）を有する、弦楽器（１）において、
前記弦巻付け部材（１０，１０’）は、断面円形からなると共に長手方向にテーパを有するピンからなり、かつその一端に、長手方向の所定深さの溝（１３，１３’）が形成されてなり、
前記調律器具（１５）は、把手（１６）と、該把手と一体に設けられるシャフト（１７）と、を有し、前記シャフトの先端部が、パイプ状からなると共に、該パイプ状部（１７ｂ）の先端から所定距離に配置され、該パイプ状部を直径方向に貫通して固定された細ピン（２０）を有し、
前記調律器具（１５）が、前記パイプ状部（１７ｂ）を前記ピン（１０，１０’）に嵌挿すると共に、前記細ピン（２０）を前記溝（１３，１３’）に係合して、前記弦巻付け部材を回動してなる、
ことを特徴とする弦楽器にある。
【０００８】
請求項２に係る本発明は（例えば図４，図５，図７参照）、前記弦巻付け部材（１０，１０’）は、前記本体フレーム（６）に形成されたテーパ付き貫通孔（６ａ）に貫通され、かつ該貫通された小径側にて前記弦（９）が巻付けられると共に、該小径側の先端に前記溝（１３，１３’）が形成されてなる、
請求項１記載の弦楽器にある。
【０００９】
請求項３に係る本発明は（例えば図４参照）、前記弦巻付け部材（１０）に形成される溝が、中心にて直交する十字状の溝（１３）である、
請求項１又は２記載の弦楽器にある。
【００１０】
請求項４に係る本発明は（例えば図４及び図５参照）、前記弦巻付け部材（１０）は、前記本体フレーム（６）に摩擦嵌合する部分に粗面（１０ｂ）が形成されてなる、
請求項１ないし３のいずれか記載の弦楽器にある。
【００１１】
請求項５に係る本発明は（例えば図１ないし図３参照）、前記弦楽器が、ノンペダルハープ（１）である、
請求項１ないし４のいずれか記載の弦楽器にある。
【００１４】
［作用］
以上構成に基づき、弦巻付け部材（チューニングピン）（１０，１０’）は、本体フレーム（プレート）６のテーパ付き貫通孔（６ａ）に打込まれて、摩擦力にて係止されている。ノンペダルハープ等の弦楽器（１）は、多数の弦（９…）がその一端を本体フレーム（２）に抜止め・固定され、他端が上記弦巻付け部材（１０，１０’）に巻付けられて、所定張力に保持されており、これら弦を選択的に振動することにより、所定音階が奏でられる。
【００１５】
使用による弦の伸びにより音程が狂うことがあり、調律が必要な場合、調律器具（チューニングレンチ）（１５）により弦巻付け部材（１０，１０’）を回動して、正しい音階に調律する。該調律器（１５）はそのシャフト（１７）の先端のパイプ状部（１７ｂ）を弦巻付け部材の一端に嵌挿すると共にその細ピン等からなる係合部（２０）を溝（１３，１３’）に係合して、把手を人力により廻すことにより、弦巻付け部材がその嵌合摩擦力に抗して回動する。
【００１６】
なお、上記カッコ内の符号は、図面と対照するためのものであるが、本発明の請求項記載の構成に何等影響を与えるものではない。
【００１７】
【発明の実施の形態】
以下、図面に沿って、本発明をノンペダルハープに適用した実施例について説明する。図１ないし図３において、１は、商標名エンジェルハープと呼ばれている、膝にのせて演奏できる小型サイズのノンペダルハープを示し、該ハープ１は、胴（ボディ）２を有しており、該胴２は３個の孔２ａを有して共鳴部材を構成すると共に、その下端が足３になっている。該胴２の上端にはうで木５を介してプレート６が連結されており、該プレート６の先端と上記胴２の下端部分とが柱（ピラー）７により連結されて、全体として正面視３角形状の本体フレームを構成している。
【００１８】
上記プレート６と胴２との間には４オクターブに相当する２８本の弦９…が張設されている。これら弦９は、その一端が胴２の内部に抜止め・固定されており、その他端がプレート６に植設されたチューニングピン（弦巻付け部材）１０…に巻付けられている。更に、プレート６には各弦９…に沿うようにピン１１…及び半音切換え装置１２…が設置されており、各弦９は、胴２と上記ピン１１との間で所定音階となるように設定されている。また、前記半音切換え装置１２は、図５に詳示するように、演奏者の指で操作されるカムレバー１２ａと、プレート６上の半音位置に植設されたピン１２ｂとを有しており、カムレバー１２ａを回動操作することにより、各弦９は、ピン１２ｂに当接・狭持される半音位置と、ピン１２ｂから離間される全音位置とに切換えられる。
【００１９】
前記チューニングピン１０は、図４に示すように、断面円形からなると共に、長さ方向に僅かなテーパが形成されており、その大径側端１０ａが丸くなっていると共に、大径側の所定長さに亘り粗面１０ｂが形成されている。また、小径側の所定位置には開口部分が長手方向に面取りされている貫通孔１０ｃが形成されており、該貫通孔１０ｃには前記弦９が通されて、該チューニングピン１０に巻付けられる。そして、該チューニングピン１０の小径側端には長手方向に比較的浅い深さからなる溝１３が形成されており、該溝１３は、図４（ｂ）に詳示するように、中心線上で直交する２本の溝（十字形状溝）からなる。なお、該チューニングピン１０は、上述した粗面１０ｂ、貫通孔１０ｃ及び溝１３等の機械加工後、金メッキ等の表面処理が施されている。
【００２０】
図５に示すように、プレート６には多数（４８本）のテーパ付き貫通孔６ａが形成されており、該貫通孔６ａに裏面側（弦が張られていない側）から、前記チューニングピン１０がその小径部を先にして打込まれて、調弦装置が構成されている。この際、上記チューニングピン１０の粗面１０ｂ部分が丁度プレート貫通孔６ａに位置するようになっており、チューニングピン１０が、弦９からのトルクにより廻り難い構造になっている。チューニングピン１０のプレート６の表面側（弦が張られている側）に突出した部分において、貫通孔１０ｃに弦９の端が通って固定され、巻付けられている。
【００２１】
一方、図６は、前記弦９をチューニングピン１０に巻付けるチューニングレンチ（調律器具）を示すものであり、チューニングレンチ１５は、木製の把手１６及び金属性のシャフト１７からなり、シャフト１７が把手１６の中央部分に埋込まれ、かつピン１９が打込まれて回り止めされて、一体に構成されている。シャフト１７は、その先端部から長手方向中心線に沿って所定深さの丸孔１７ａが形成されており、該先端部は、図６（ｂ）に示すように、所定肉厚からなるパイプ状になっている。そして、該パイプ状部１７ｂにおける先端から所定距離に、直径方向に貫通して１本の細ピン（係合部）２０が嵌合・固定されている。なお、図中１６ａは、意匠及び滑り止めとして把手１５の外周表面に形成された複数の環状溝である。また、シャフト１７は、丸孔１７ａを形成する機械加工後、金メッキ等の表面処理が施されている。
【００２２】
該チューニングレンチ１５は、そのパイプ状部１７ｂの丸孔１７ａに前記チューニングピン１０の小径先端側を嵌挿し、その細ピン２０を上記ピンの溝１３内に係合する。この状態で、把手１６を持って廻すことにより、シャフト１７、細ピン２０及び溝１３を介してチューニングピン１０にトルクが伝えられ、チューニングピン１０は回転し、前記貫通孔１０ｃにより固定されている弦９が該ピンの周りに巻付けられる。これにより、各弦９は、所定張力により張られた状態になり、ハープ１は、演奏に供せられる。なお、この状態では、演奏による撥弦等に基づく大きなトルクがチューニングピンに作用しても、該弦張力は、チューニングピン１０がプレートの貫通孔６ａに対してコジルようにも作用し、かつピン及び貫通孔がテーパ状にて嵌合しており、更に該ピンに形成された粗面６ａによる摩擦の増大と相俟って、いたずらにチューニングピンが回動して弦張力に変化を来たすことがない。
【００２３】
使用による弦９の伸び等により音程が狂うと、正しい音階に調整する調律（チューニング）作業が必要となる。この場合も、上記チューニングレンチ１５を用いて、チューニングピン１０を回動調整することにより、弦９の巻付け量が変化して、正しい音階に調律される。この際、チューニングピンの溝１３は十字状からなるため、レンチの細ピン２０を９０度毎に同姿勢で溝１３に再嵌合することができ、把手１６を調整し易い姿勢で細いピッチにて回動することが可能であると共に、該チューニングピンを弦が張られている側で調整することができ、微妙な調律を効率よく行うことができる。なお、ピンの溝１３が十字状からなり、先端４分割からなるため、トルクに対して強度が低下する構造からなるが、溝１３は、チューニングピン１０が細ピン２０が係合して外されることのない範囲で比較的浅く形成されており、チューニングレンチ１５で大きなトルクを作用しても、チューニングピン１０の先端が破損することはない。
【００２４】
ついで、図７に沿って、一部変更した実施例について説明する。本チューニングピン１０’も、先の実施例と同様に、断面円形からなると共に、長さ方向に僅かなテーパが形成されている。更に、その大径側端１０’ａが丸くなっており、小径側所定位置に弦固定用の貫通孔１０’ｃが形成されている。そして、該チューニングピン１０’の小径側端には長手方向に比較的深い溝１３’が形成されており、該溝１３’は、図７（ｂ）に詳示するように、直径に亘り形成されている１本溝からなる。
【００２５】
本チューニングピン１０’に対しても、図６に示すものと同様なチューニングレンチが用いられ、上記１本溝からなる溝１３’に、レンチの細ピン２０を係合して該ピン１０’を回動し、弦９を巻付ける。本チューニングピン１０’は、１本溝１３’からなるため、レンチ１５を１８０度回動しないと同じ姿勢とならず、チューニングピンとしての使い勝手は、十字溝からなる先の実施例に比して悪いが、ピン１０’の先端が２分割からなるため、堅牽な構造となっている。
【００２６】
なお、上述した実施例は、ノンペダルハープについて述べたが、これに限らず、ペダルハープ、ハープシコート、ピアノ等のあらゆる弦楽器に適用可能である。
【００２７】
【発明の効果】
請求項１に係る本発明によると、テーパを有するピン状の弦巻付け部材に、長手方向の溝を形成するだけの簡単な構造で足り、かつ該溝に調律機器の細ピンを係合することにより、該弦巻付け部材に弦を容易に巻付けることができると共に、上記係合は、使用による摩耗等によっても外れることがなく、耐久性も向上することができる。
【００２８】
請求項２に係る本発明によると、本体フレームのテーパ付き貫通孔に貫通された弦巻付け部材の小径側に弦が巻付けられており、該弦からの張力が弦巻付け部材にテーパの楔作用により嵌合摩擦力が増大する方向に作用し、弦が緩み難い構造になっていると共に、弦が巻付けられている側に溝を形成して、弦の張り具合を見ながら調律することが可能となり、効率のよい弦の巻付け及び調律作業を行うことができる。
【００２９】
請求項３に係る本発明によると、十字状の溝により、調律器具を９０度毎に同じ姿勢とすることができ、調律器具を細かいピッチにより調律し易い姿勢で操作でき、効率のよいかつ精度の高い調律作業を行うことができる。
【００３０】
請求項４に係る本発明によると、弦巻付け部材に形成した粗面により本体フレーム嵌合部分との摩擦力が増大して、弦の緩みが生じ難いと共に、調律作業時、調律器具の力を緩めた状態でも弦が緩み方向に盲動し難く、調律作業を容易にかつ高い精度にて行うことができる。
【００３１】
請求項５に係る本発明によると、ノンペダルハープに適用して好適であり、該ノンペダルハープの弦の巻付け及び調律を正確にかつ容易に行うことができる。
【００３２】
請求項１に係る本発明によると、シャフトの先端パイプ状部に係合部を設けた、簡単で耐久性の高い調律器具により、弦の巻付け及び調律を効率よくかつ正確に行うことができる。
【００３３】
請求項１に係る本発明によると、パイプ状部に細ピンを貫通・固定したので、機械加工が少ない製造の容易な構造からなり、安価な調律器具を提供することができる。
【図面の簡単な説明】
【図１】本発明を適用したノンペダルハープを示す正面図。
【図２】その平面図。
【図３】その側面図。
【図４】本発明に係る弦巻付け部材（チューニングピン）を示す図で、（ａ）は正面図、（ｂ）は側面図。
【図５】本発明を適用したノンペダルハープの調弦装置部分を示す一部断面した拡大側面図。
【図６】本発明に係る調律器具を示す図で、（ａ）は正面図、（ｂ）は側面図。
【図７】本発明の他の実施例による弦巻付け部材を示す図で、（ａ）は正面図、（ｂ）は側面図。
【符号の説明】
１          弦楽器（ノンペダルハープ）
２，５，６，７        本体フレーム（胴、うで木、プレート、柱）
６ａ        テーパ付き貫通孔
９          弦
１０，１０’  弦巻付け部材（チューニングピン）
１０ｂ        粗面
１３，１３’  溝（十字溝、１本溝）
１５          調律器具（チューニングレンチ）
１６          把手
１７          シャフト
１７ｂ        パイプ状部
２０          係合部（細ピン）
【図１】
0004488323.tif 000002
【図２】
0004488323.tif 000003
【図３】
0004488323.tif 000004
【図４】
0004488323.tif 000005
【図５】
0004488323.tif 000006
【図６】
0004488323.tif 000007
【図７】
0004488323.tif 000008